(57)【要約】【課題】簡便な構成でカメラモジュールのレンズの状態を検出可能な電子機器を提供すること。【解決手段】電子機器は、複数の撮像素子を有する撮像部と、撮像部の撮像方向に配置されるレンズ部と、レンズ部を前記撮像方向に移動させる移動機構を有し、移動機構によりレンズ部と撮像部との距離が可変な状態でレンズ部を保持可能なホルダと、ホルダに一体的に設けられ、移動機構を駆動させるためのノブ部と、ホルダに一体的に設けられ、ノブ部の変位に伴うホルダの移動に連動して、第１位置と第２位置との間を移動する連動部と、撮像部の第１位置にある連動部に対向した位置に配設される光検出部と、を有するカメラモジュールと、カメラモジュールにおいて撮像した画像に対して光検出部での検出結果に基づいて所定の制御を行う制御部と、を備える。【選択図】図２
2010085505.tif 000002
【特許請求の範囲】
【請求項１】
複数の撮像素子を有する撮像部と、
前記撮像部の撮像方向に配置されるレンズ部と、
前記レンズ部を前記撮像方向に移動させる移動機構を有し、前記移動機構により前記レンズ部と前記撮像部との距離が可変な状態で前記レンズ部を保持可能なホルダと、
前記ホルダに一体的に設けられ、前記移動機構を駆動させるためのノブ部と、
前記ホルダに一体的に設けられ、前記ノブ部の変位に伴う前記ホルダの移動に連動して、第１位置と第２位置との間を移動する連動部と、
前記撮像部の前記第１位置にある前記連動部に対向した位置に配設される光検出部と、
を有するカメラモジュールと、
前記カメラモジュールにおいて撮像した画像に対して前記光検出部での検出結果に基づいて所定の制御を行う制御部と、
を備える電子機器。
【請求項２】
前記光検出部は、前記撮像部の一部である請求項１に記載の電子機器。
【請求項３】
前記撮像部が撮像した画像を表示する表示部を更に備え、
前記制御部は、前記表示部に前記撮像部に対する前記レンズ部の位置の表示を行わせる請求項１又は２に記載の電子機器。
【請求項４】
前記連動部及び前記光検出部の少なくとも一方は、複数個ある請求項１から３のいずれかに記載の電子機器。
【請求項５】
前記撮像部は、電気信号を出力可能な有効画素領域と、特定の色の基準を規定する撮像基準領域と、を有し、
前記光検出部は、前記有効画素領域にある請求項１から４のいずれかに記載の電子機器。
【請求項６】
前記撮像部は、電気信号を出力可能な有効画素領域と、当該有効画素領域によって出力される電気信号の基準を規定する撮像基準領域と、を有し、
前記光検出部は、前記撮像基準領域にあることを特徴とする請求項１から４のいずれかに記載の電子機器。
【請求項７】
複数の撮像素子を有する撮像部と、
前記撮像部の撮像方向に配置されるレンズ部と、
前記レンズ部を前記撮像方向に移動させる移動機構を有し、前記移動機構により前記レンズ部と前記撮像部との距離が可変な状態で前記レンズ部を保持可能なホルダと、
前記ホルダに一体的に設けられ、前記移動機構を駆動させるためのノブ部と、
前記ホルダに一体的に設けられ、前記ノブ部の変位に伴う前記ホルダの移動に連動して、第１位置と第２位置との間を移動する連動部と、
前記撮像部の前記第１位置にある前記連動部に対向した位置に配設される光検出部と、
を備えるカメラモジュール。
【発明の詳細な説明】
【技術分野】
【０００１】
本発明は、携帯電話機等の電子機器に関する。
【背景技術】
【０００２】
近年、電子機器の１つである携帯電話機は、筐体の小型化や薄型化が進むと共に、様々な機能を搭載したものが普及されている。例えば、カメラ付き携帯電話機においては、カメラにオートフォーカス機能やマクロ撮影機能等、様々な機能を搭載させた機種が増加している。
【０００３】
ところで、このようなカメラ付き携帯電話機は、小型のカメラモジュールが携帯電話機に搭載されることにより実現されている。そして、カメラモジュールは、例えば、マクロ撮影機能を有する場合においては、被写体とカメラモジュールとの距離によって焦点距離を変化させる必要がある。つまり、レンズを動かすことによって焦点距離を変化させる必要がある。従って、マクロ撮影機能を有するカメラモジュールには、レンズを動かす機構が必要であり、その多くには、レンズを動かす為のレバーが設けられていた（例えば、特許文献１参照）。
【特許文献１】特開２００４−０６４４６０
【発明の開示】
【発明が解決しようとする課題】
【０００４】
ここで、レンズを移動させ、焦点距離を変化させる場合には、焦点距離が変化したことをカメラモジュールが搭載される携帯電話機の制御部に伝達させる必要がある。伝達は、検出スイッチを用いて行われることが多く、検出スイッチの多くは、レンズを動かすレバーの動きに連動して検出されるように構成されている。そのため、カメラ付き携帯電話機は、検出スイッチを接続するための基板やレンズを動かすレバーの近傍に検出スイッチを配置させる必要があった。これにより、携帯電話機の設計の自由度が減少したり、検出スイッチを配置させる位置に機構的な制約が生じるという問題があった。また、検出スイッチを設けることにより、部品点数が増加したり、構造が複雑になるという問題があった。
【０００５】
従って、本発明は、簡便な構成でカメラモジュールのレンズの状態を検出可能な機構を有する電子機器を提供することを目的とする。
【課題を解決するための手段】
【０００６】
本発明の電子機器は、複数の撮像素子を有する撮像部と、前記撮像部の撮像方向に配置されるレンズ部と、前記レンズ部を前記撮像方向に移動させる移動機構を有し、前記移動機構により前記レンズ部と前記撮像部との距離が可変な状態で前記レンズ部を保持可能なホルダと、前記ホルダ部に一体的に設けられ、前記移動機構を駆動させるためのノブ部と、前記ホルダ部に一体的に設けられ、前記ノブ部の変位に伴う前記ホルダ部の移動に連動して、第１位置と第２位置との間を移動する連動部と、前記撮像部の前記第１位置にある前記連動部に対向した位置に配設される光検出部と、を有するカメラモジュールと、前記カメラモジュールにおいて撮像した画像に対して前記光検出部での検出結果に基づいて所定の制御を行う制御部と、を備える。
【０００７】
また、前記光検出部は、前記撮像部の一部であることが好ましい。
【０００８】
また、前記撮像部が撮像した画像を表示する表示部を更に備え、前記制御部は、前記表示部に前記撮像部に前記レンズ部の位置の表示を行わせることが好ましい。
【０００９】
また、前記連動部及び前記光検出部の少なくとも一方は、複数個あることが好ましい。
【００１０】
また、前記撮像部は、電気信号を出力可能な有効画素領域と、特定の色の基準を規定する撮像基準領域と、を有し、前記光検出部は、前記有効画素領域にあることが好ましい。
【００１１】
また、前記撮像部は、電気信号を出力可能な有効画素領域と、当該有効画素領域によって出力される電気信号の基準を規定する撮像基準領域と、を有し、前記光検出部は、前記撮像基準領域にあることが好ましい。
【００１２】
また、本発明のカメラモジュールは、複数の撮像素子を有する撮像部と、前記撮像部の撮像方向に配置されるレンズ部と、前記レンズ部を前記撮像方向に移動させる移動機構を有し、前記移動機構により前記レンズ部と前記撮像部との距離が可変な状態で前記レンズ部を保持可能なホルダと、前記ホルダ部に一体的に設けられ、前記移動機構を駆動させるためのノブ部と、前記ホルダ部に一体的に設けられ、前記ノブ部の変位に伴う前記ホルダ部の移動に連動して、第１位置と第２位置との間を移動する連動部と、前記撮像部の前記第１位置にある前記連動部に対向した位置に配設される光検出部と、を備える。
【発明の効果】
【００１３】
本発明によれば、簡便な構成でカメラモジュールのレンズの状態を検出可能な電子機器を提供することができる。
【発明を実施するための最良の形態】
【００１４】
以下、本発明を実施するための最良の形態について、図面を参照しながら説明する。本実施形態に係る携帯電話機１は、被写体の撮影機能を有するカメラモジュール８を備える。カメラモジュール８は、通常の撮影に使用される通常モードと、近接した撮影に使用されるマクロモードと、の２種類のモード機能を有する。なお、ここでいうマクロモードとは、被写体に対して接写撮影をするための撮影モードであり、通常モードとは、マクロモードとは異なる撮影モードをいうものとする。なお、カメラモジュール８は、図１においてフロントケース２１に配置されているものの、例えばリアケース２２に配置されてもよく、また、表示部側筐体３のフロントケース３０又はリアケース３０ｂに配置されてもよい。
まず、本発明の電子機器の一実施形態である携帯電話機１の基本構造について、図１から図３を参照しながら説明する。
【００１５】
［第１実施形態］
図１は、本発明の第１実施形態の携帯電話機１を開状態で示す斜視図である。図２は、図１に示す携帯電話機１を開状態で示す斜視図である。図３は、図１に示す操作部側筐体２に内蔵される部材の分解斜視図である。
【００１６】
図１及び図２に示すように、本発明の第１実施形態に係る携帯電話機１は、操作部側筐体２と表示部側筐体３とを備えて構成されている。操作部側筐体２と表示部側筐体３とは、操作部側筐体２の上端部と表示部側筐体３の下端部とがヒンジ機構を備える連結部４を介して、開閉軸Ｘを中心に開閉可能に連結されている。これにより、携帯電話機１は、連結部４を介して連結された操作部側筐体２と表示部側筐体３とを相対的に動かすことが可能になる。
【００１７】
つまり、携帯電話機１は、操作部側筐体２と表示部側筐体３とが連結部４を介して開いた状態（開状態。図１参照）と、操作部側筐体２と表示部側筐体３とが連結部４を介して互いに重なり合う（折り畳まれた）状態（閉状態。図２参照）と、に変更可能に構成されている。なお、閉状態とは、両筐体２，３が互いに重なるように配置された状態であり、開状態とは、両筐体２，３が互いに重ならない、あるいは両筐体２，３の重なる程度が小さくなるように配置された状態である。
【００１８】
操作部側筐体２は、外面がフロントケース２１及びリアケース２２により構成されている。フロントケース２１には、操作キー群１１と、携帯電話機１の使用者が通話時に発した音声が入力されるマイクとしての音声入力部１２と、撮影機能を有するカメラ部２３と、がそれぞれ設けられている。
【００１９】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成されている。
【００２０】
操作キー群１１を構成する各キーそれぞれには、操作部側筐体２と表示部側筐体３との開閉状態や各種モード、あるいは起動されているアプリケーション等の種類に応じて所定の機能が割り当てられる（キー・アサイン）。そして、使用者が各キーを押圧することにより、各キーに割り当てられている機能に応じた動作が実行される。
【００２１】
音声入力部１２は、操作部側筐体２の長手方向における連結部４側と反対の外端部側に配置される。つまり、音声入力部１２は、携帯電話機１の開状態において一方の外端部側に配置される。
【００２２】
カメラ部２３は、操作部側筐体２の長手方向における連結部４側の外端部側に配置される。カメラ部２３には、フロントケース２１の外面側からカメラ部２３を塞ぐように透明部材２４が配置されている。透明部材２４は、レンズ部を水や埃から保護するためのものである。透明部材２４は、例えば、透過性を有する樹脂により形成されている。
【００２３】
操作部側筐体２における一方側の側面には、外部機器（例えば、ホスト装置）と通信を行うためのインターフェース（図示せず）と、カメラモジュール８の撮影モードを通常モード又はマクロモードに切り替えるレバー８４が露出されるモード切替部２５と、が設けられている。操作部側筐体２の他方側の側面には、所定の機能が割り当てられているサイドキー（図示せず）と、外部メモリの挿入及び取り出しが行われるインターフェース（図示せず）とが配置されている。インターフェースは、キャップにより覆われている。各インターフェースは、不使用時にはキャップにより覆われて封止される。
【００２４】
表示部側筐体３は、外面がフロントケース３０ａ及びリアケース３０ｂにより構成されている。フロントケース３０ａには、各種情報を表示するためのメイン表示部３４と、通話の相手側の音声を出力するレシーバとしての音声出力部３１とが設けられている。メイン表示部３４には、メイン液晶モジュール（図示せず）が配置されている。メイン液晶モジュールは、その一方の面に設けられた表示部が、透明部分を主体とするフロントパネル（図示せず）を介して、フロントケース３０ａに形成されたメイン表示部３４から表示部側筐体３の前面に露出するように配置されている。
【００２５】
音声出力部３１は、表示部側筐体３の長手方向における連結部４とは反対の端部側に配置されている。つまり、音声出力部３１は、携帯電話機１の開状態における表示部側筐体３側の端部近傍に配置されている。
【００２６】
一方、リアケース３０ｂには、各種情報を表示するためのサブ表示部３５が設けられている。サブ表示部３５には、サブ液晶モジュール（図示せず）が配置されている。サブ液晶モジュールは、その一方の面に設けられた表示部が、透明部分を主体とするリアパネル（図示せず）を介して、リアケース３０ｂに形成されたサブ表示部３５から表示部側筐体３の背面に露出するように配置されている。
【００２７】
次に、図３を参照しながら、操作部側筐体２の内部構造について説明する。
図３に示すように、フロントケース２１とリアケース２２とは、互いの凹状の内側面が向き合うように配置され、互いの外周縁が重なり合うようにして結合されている。また、フロントケース２１とリアケース２２との間には、キー構造部４０と、キー基板５０と、シールドケース６０と、主回路基板（回路基板）７０とが挟まれるようにして内蔵される。
【００２８】
フロントケース２１には、携帯電話機１の閉状態において表示部側筐体３のメイン表示部３４ａと対向する内側面に、開口部としてのキー孔１３ａ、１４ａ、１５ａと、カメラ孔２３ａと、が形成されている。キー孔１３ａ、１４ａ、１５ａそれぞれからは、機能設定操作キー１３を構成する機能設定操作キー部材１３ｂの押圧面、入力操作キー１４を構成する入力操作キー部材１４ｂの押圧面、及び決定操作キー１５を構成する決定操作キー部材１５ｂの押圧面が露出される。この露出した機能設定操作キー部材１３ｂ、入力操作キー部材１４ｂ及び決定操作キー部材１５ｂの押圧面を押下することで、対応するキースイッチ５１、５２、５３それぞれに設けられる後述のメタルドーム（椀状形状）の頂点が押圧され、スイッチ端子に接触して電気的に導通する。カメラ孔２３ａからは、カメラモジュール８のレンズ８０が透明部材２４を介して露出される。
【００２９】
キー基板５０は、複数の絶縁層（絶縁フィルム）の間に配線を挟み込んで形成されるフレキシブル基板である。キー基板５０は、キー構造部４０側に、キートップとしての機能設定操作キー１３、入力操作キー１４及び決定操作キー１５にそれぞれ対応して、複数のキースイッチ５１、５２、５３を備えている。キースイッチ５１、５２、５３（後述）は、椀状に湾曲して立体的に形成された金属板のメタルドームを有する。メタルドームは、その椀状形状の頂点が押圧されると、キー基板５０の表面に印刷された電気回路（図示せず）に形成されるスイッチ端子に接触して、電気的に導通するように構成されている。
【００３０】
キー構造部４０は、キー基板５０に積層配置され、複数のキースイッチ５１、５２、５３を押圧可能な押し子と、操作面を有するキートップとが、弾性を有するシリコン等で構成されたシートに設けられて構成されている。
キー構造部４０は、シリコンゴム製の基体シートの表面に操作キー群１１のキートップが接着剤により貼り付けられて構成されている。キー構造部４０における操作キー群１１を構成する機能設定操作キー１３、入力操作キー１４及び決定操作キー１５は、キー基板５０におけるキースイッチ５１、５２、５３と対向する位置に配置されると共に、フロントケース２１に形成されるキー孔１３ａ、１４ａ、１５ａから露出するように配置されている。
【００３１】
シールドケース６０は、薄型の直方体における一の広い面が開口した形状を有する導電性の部材である。シールドケース６０は、キー基板５０の載置面となる平板部６１と、平板部６１における開口側の面に略垂直に形成されるリブ（図示せず）とを備えている。リブは、主回路基板７０に実装される各種電子部品のうち最も高い電子部品の高さと同等又はそれよりも十分に高くなるように形成されている。リブは、平板部６１の周縁及び内側に、主回路基板７０における基準電位部を構成する基準電位パターン層７５に対応するように形成されている。具体的には、リブは、シールドケース６０が主回路基板７０に載置された状態で、基準電位パターン層７５上に配置されるように形成されている。
【００３２】
なお、シールドケース６０は、その全体を金属から構成することができる他、その骨格を樹脂から形成し、該骨格の表面に導体膜を形成して構成することもできる。また、キー基板５０がシールドケース６０における平板部６１に載置されるので、キー構造部４０が押圧されることによる圧力や撓みは、シールドケース６０の下方に配置される主回路基板７０に伝達されにくい。
【００３３】
シールドケース６０は、リブの底面が基準電位パターン層７５に当接されることで、基準電位パターン層７５と電気的に接続されている。シールドケース６０は、基準電位パターン層７５と電気的に導通して基準電位パターン層７５と同じ大きさの電位を有するようになる。
【００３４】
シールドケース６０は、外部からの高周波等のノイズが主回路基板７０に配置される各種電子部品に作用するのを抑制すると共に、ＲＦ（Ｒａｄｉｏ  Ｆｒｅｑｕｅｎｃｙ）回路、ＣＰＵ回路、電源回路等から放出されるノイズを遮蔽して、他の電子部品やアンテナに接続される受信回路等に作用することを抑制する。具体的には、シールドケース６０におけるリブの底面が基準電位パターン層７５上に配置されることで、各回路は、リブにより囲われると共に平板部６１の一部により覆われる。リブは、各回路における隔壁として機能し、平板部６１の一部と共に各回路をシールドする。
【００３５】
主回路基板７０には、カメラモジュール８や不図示の各種電子部品の他、所定の回路等が配置されている。各種電子部品は、所定の組み合わせにより複数の回路ブロックを形成する。例えば、ＲＦ（Ｒａｄｉｏ  Ｆｒｅｑｕｅｎｃｙ）回路、電源回路等を含む各種回路ブロックが形成される。
【００３６】
主回路基板７０におけるシールドケース６０側の第１面７０ａには、上述のカメラモジュール８を含む各種電子部品及び基準電位部を構成する基準電位パターン層７５が形成される。基準電位パターン層７５は、各回路ブロックを区画するように形成される。基準電位パターン層７５は、主回路基板７０の第１面７０ａの表面に導電性の部材を所定パターンで印刷することで形成される。
【００３７】
リアケース２２の他端側には、取り外し可能なバッテリリッド２６が設けられている。バッテリリッド２６は、バッテリＱをリアケース２２の外側から収納した後、リアケース２２に装着される。
【００３８】
次に、図４から図６（ｂ）を参照しながら、本実施形態の携帯電話機１に搭載されるカメラモジュール８の基本構造について説明する。図４は、図１に示す携帯電話機に内蔵されるカメラモジュールの外観斜視図である。図５は、図４に示すカメラモジュールの断面を模式的に示した断面図である。図６（ａ）は、第１位置に配置された遮光部を模式的に示す正面図であり、図６（ｂ）は、第２位置に配置された遮光部を模式的に示す正面図である。
【００３９】
図４から図６（ｂ）に示すように、カメラモジュール８は、レンズ部としてのレンズ８０及び鏡筒８１と、第１ホルダ８２と、第２ホルダ８３と、第２ホルダ８３に設けられるノブ部としてのレバー８４と、第２ホルダ８３に設けられる連動部としての遮光部８５と、撮像部８６と、カメラ基板８７と、を備えて構成されている。
【００４０】
レンズ８０は、フロントケース２１に形成されたカメラ孔２３ａから露出されるように配置されている。レンズ８０は、カメラ孔２３ａと、撮像部８６との間に配置されており、撮像部８６の撮像方向とレンズ８０の光軸とが一致するように、撮像部８６の正面側に配置されている。なお、通常レンズ８０は、複数枚鏡筒８１に配置されるが、本実施形態では簡略化の為、レンズ８０の数を１枚としている。
【００４１】
鏡筒８１は、略円筒状に形成されている。鏡筒８１は、内周面においてレンズ８０の周縁を保持してレンズ８０を固定している。また、鏡筒８１には、その外周面に移動機構を構成する雄ネジ部８１ａが形成されている。雄ネジ部８１ａには、上述の撮像方向に向かって雄ネジが切られている。更に、鏡筒８１における撮像方向側の端部には、外周面に第２ホルダ８３の被嵌合部８３ｂと嵌合する嵌合部８１ｂが設けられている。
【００４２】
第１ホルダ８２には、略中央部に鏡筒８１を保持する保持部８２ｂが設けられている。保持部８２ｂは、鏡筒８１を保持可能な円筒状の開口として形成されている。保持部８２ｂには、鏡筒８１に形成された雄ネジ部８１ａと螺合し、移動機構を構成する雌ネジ部８２ａが形成されている。なお、移動機構は、雄ネジ部８１ａ及び上述の雌ネジ部８２ａにより構成されている。
【００４３】
雌ネジ部８２ａには、鏡筒８１の雄ネジと螺合可能な雌ネジが切られている。第１ホルダ８２は、雌ネジ部８２ａに鏡筒８１の雄ネジ部８１ａを螺嵌させることにより、鏡筒８１を撮像方向に移動可能な状態で保持している。なお、第１ホルダ８２は、半田等の接合部材によりカメラ基板８７に固定されている。第１ホルダ８２は、例えば合成樹脂や金属により形成されている。
【００４４】
第２ホルダ８３は、薄型の略円筒形状に形成されており、開口の内周面には、鏡筒８１の外周面に形成された嵌合部８１ｂと嵌合可能な被嵌合部８３ｂが設けられている。被嵌合部８３ｂは、嵌合部８１ｂと嵌合可能に略円形状に形成されている。第２ホルダ８３は、被嵌合部８３ｂに鏡筒８１の嵌合部８１ｂを嵌合させることにより、被嵌合部８３ｂと嵌合部８１ｂとが接合し、鏡筒８１の動きと連動するように構成されている。言い換えると、第２ホルダ８３を回転させることにより、第１ホルダ８２に移動可能な状態で保持された鏡筒８１が撮像方向に移動するように構成されている。第２ホルダ８３は、例えば、合成樹脂や金属により形成されている。
【００４５】
被嵌合部８３ｂには、第２ホルダ８３の中心方向に突起した遮光部８５が形成されている。遮光部８５は、カメラ孔２３ａからレンズ８０を介して、撮像部８６に設けられた後述の光検出部８８に向かって入射する光を遮光可能に形成されている。具体的には、遮光部８５は、通常モード時に配置される第１位置（図６（ａ）参照）において、撮像部８６に設けられた光検出部８８と対向するように設けられている。つまり、遮光部８５は、通常モード時においては第１位置に配置され、光検出部８８を遮光している。そして、遮光部８５は、第２ホルダ８３の移動に連動して第１位置からマクロモード時に配置される第２位置（図６（ｂ）参照）に移動することにより、光検出部８８への光の遮光を解除する。つまり、遮光部８５は、マクロモード時においては第２位置に移動され、光検出部８８を受光可能な状態にする。
【００４６】
なお、第１位置とは、遮光部８５が光検出部８８と対向する位置、すなわち、遮光部８５が光検出部８８に向かって入射する光を遮光可能な位置であり（図６（ａ）参照）、第２位置とは、第１位置とは異なる位置をいうものとする（図６（ｂ）参照）。
【００４７】
また、第２ホルダ８３には、「通常モード」と「マクロモード」との切り替えを行うレバー８４が形成されている。レバー８４は、第２ホルダ８３の外縁から外方へ舌状に延出するように形成されている。レバー８４は、レバー８４を回動方向（図４の矢印Ａに示す方向）に回動させることにより、レバー８４の回動方向への回動力を第２ホルダ８３に伝達させ、第２ホルダ８３を回転させるように構成されている。つまり、レバー８４は、回動方向に回動させることにより第２ホルダ８３を回転させ、第２ホルダ８３に設けられた遮光部８５を第１位置から第２位置へ移動させることが可能に形成されている。
【００４８】
撮像部８６は、撮像方向におけるレンズ８０の背後側に配置されており、半田等の接合部材によりカメラ基板８７に接合されている。また、撮像部８６は、レンズ８０の光軸上に配置されている。
【００４９】
撮像部８６は、複数の撮像素子（図示せず）を有して構成されている。複数の撮像素子は、レンズ８０を介して入射した光に応じた電気信号を出力する。また、撮像部８６は、複数の撮像素子から構成される総画素領域において、オプチカルブラック領域８６ａと有効画素領域８６ｂとを有して構成されている。
【００５０】
オプチカルブラック領域８６ａは、後述する実効画素領域８６ｃから出力される電気信号のうち、周囲の熱エネルギーによって生じるノイズ電流を推定する為に設けられる撮像基準領域である。オプチカルブラック領域８６ａは、例えば、撮像素子の上に遮光性膜が設けられることにより形成されている。
【００５１】
有効画素領域８６ｂは、総画素領域の中で、映像信号として出力が可能な領域である。有効画素領域８６ｂは、カメラモジュール８を備える製品の特性が保証された実効画素領域８６ｃと、実効画素領域８６ｃの周域に設けられる非実効画素領域８６ｄを有して構成されている。実効画素領域８６ｃは、有効画素領域８６ｂの略中央部に設けられている。非実効画素領域８６ｄは、有効画素領域８６ｂのうち、オプチカルブラック領域８６ａとの境界に設けられている。
【００５２】
図６（ａ）及び図６（ｂ）に示すように、非実効画素領域８６ｄには、光検出部８８が設けられている。光検出部８８は、第１位置に配置された遮光部８５と対向する位置に設けられている。光検出部８８は、遮光部８５が第１位置にある場合（図６（ａ）参照）には、遮光部８５により光が遮光されるため所定の電気信号を出力しないが、遮光部８５が第２位置に移動すると（図６（ｂ）参照）、レンズ８０を介して入射した光に応じた所定の電気信号を制御部１００に出力するように構成されている。
【００５３】
カメラ基板８７には、カメラモジュール８の制御に係る回路等が搭載されている。カメラ基板８７は、ＦＰＣ（図示せず）を介して主回路基板７０に電気的に接続されている。
【００５４】
次に、本発明の電子機器の一実施形態である携帯電話機１の機能的な構成について、図７及び図８を参照しながら説明する。図７は、携帯電話機の機能を示す機能ブロック図である。図８は、携帯電話機に搭載されるカメラモジュールの機能を示す機能ブロック図である。
【００５５】
図７に示すように、携帯電話機１は、制御部１００と、通信部１０１と、メモリ１０２と、操作部１０３と、音声処理部１０４と、画像処理部１０５と、メイン表示部３４と、サブ表示部３５と、カメラモジュール８と、を備えて構成されている。
【００５６】
制御部１００は、ＩＣから構成され、操作部１０３やカメラモジュール８等から入力される各種電気信号に基づいて所定の演算を行い、画像処理部１０５等の制御を行う。例えば、制御部１００には、判定部１００ａと、モード設定部１００ｂと、が設けられている。判定部１００ａは、カメラモジュール８に設けられる光検出部８８が出力した電気信号に基づいて、メモリ１０２に格納されたテーブル１０２ａに応じたモード設定の判定を行う。具体的には、「通常モード」又は「マクロモード」のモード設定の判定を行う。モード設定部１００ｂは、判定部１００ａによって判定された判定結果に基づいて「通常モード」又は「マクロモード」のモード設定を行う。
【００５７】
通信部１０１は、所定の使用周波数帯により外部装置（基地局）との通信を行うメインアンテナ１０１ａと、変調処理、復調処理等の信号処理を行う通信処理部１０１ｂと、を備えて構成されている。メインアンテナ１０１ａは、所定の使用周波数帯（例えば、８００ＭＨｚ）で外部装置（基地局）と通信を行う。通信処理部１０１ｂは、メインアンテナ１０１ａによって受信した信号を復調処理し、処理後の信号を制御部１００に供給する。また、通信処理部１０１ｂは、制御部１００から供給された信号を変調処理し、メインアンテナ１０１ａを介して外部装置（基地局）に送信する。
【００５８】
メモリ１０２は、制御部１００において実行される多数のプログラム及びパラメータや各種テーブル等が記憶されている。例えば、メモリ１０２には、制御部１００によって制御される多数のアプリケーションプログラム等の他、光検出部８８における受光の有無のパターンに基づいたモード設定用のテーブルが記憶されている。
【００５９】
音声処理部１０４は、制御部１００からの音声データを音響信号に変換して通話用の音声出力部３１に出力する。また、音声入力部１２から入力された通話用の音を所定の音声信号に変換して制御部１００に出力する。
【００６０】
画像処理部１０５は、制御部１００からの画像データを画像信号に変換してメイン表示部３４又はサブ表示部３５に出力する。例えば、画像処理部１０５は、カメラモジュール８から出力された電気信号（画像データ）をモード設定部１００ｂにより設定されたモード（通常モード又はマクロモード）に基づいて所定のフォーマットの画像信号に変換してメイン表示部３４又はサブ表示部３５に出力する。また、例えば、通常モード又はマクロモードに設定された状態を示す表示としてメイン表示部３４又はサブ表示部３５に出力する。
【００６１】
カメラモジュール８は、レンズ８０と、複数の撮像素子からなる撮像部８６と、備えて構成されている。撮像部８６は、カメラ孔２３ａからレンズ８０に入射した光を撮像する。撮像部８６は、オプチカルブラック領域８６ａと、有効画素領域８６ｂと、を有している。オプチカルブラック領域８６ａは、特定の色の基準を規定する撮像基準領域であり、黒色の基準を規定する。
【００６２】
有効画素領域８６ｂは、カメラ孔２３ａからレンズ８０に入射した光を撮像し、電気信号として出力する。有効画素領域８６ｂは、撮像特性が保証された実効画素領域８６ｃと、実効画素領域８６ｃの周域に設けられる非実効画素領域８６ｄとを備えている。非実効画素領域８６ｄには、光検出部８８が設けられている。光検出部８８は、カメラ孔２３ａからレンズ８０に入射した光を受光すると、所定の電気信号を判定部１００ａに出力する。
【００６３】
次に、本実施形態の携帯電話機１の「通常モード」から「マクロモード」へのモード切替動作について説明する。
【００６４】
通常モードからマクロモードへの切り替えは、カメラモジュール８に設けられるレバー８４を操作することにより行われる。具体的には、まず、レバー８４を所定の回動方向に回動させることにより、遮光部８５を第１位置から第２位置に移動させる。このとき、レンズ８０も撮像方向に移動する。そして、遮光部８５が第１位置から第２位置に移動すると、光検出部８８は、レンズ８０を介して入射した光を受光する。光検出部８８が光を受光すると、光検出部８８は、電気信号を制御部１００に出力する。
【００６５】
携帯電話機１は、上述のレバー８４操作に連動してレンズ８０を移動させると共に、制御部１００が光検出部８８から出力された電気信号を判定し、制御部１００による通常モードの制御からマクロモードの制御への変更が実行されることにより、「通常モード」から「マクロモード」へのモード切替が行われる。
【００６６】
以下、レバー８４操作に基づくレンズ８０及び遮光部８５の移動動作について具体的に説明する。
【００６７】
本実施形態に係る携帯電話機１は、初期設定において、「通常モード」に設定されている。具体的には、遮光部８５が光検出部８８を遮光する第１位置に配置され、制御部１００においては、「通常モード」における制御が実行されている。また、レンズ８０は、通常モード用の焦点距離に設定されている。
【００６８】
まず、ユーザがレバー８４を所定の回動方向（図２及び図４における矢印Ａの方向）に回動させると、レバー８４の回動方向への回動力が第２ホルダ８３に伝達される。これにより、レバー８４の回動方向への回動に連動して第２ホルダ８３が回転を開始する。ここで、第２ホルダ８３が回転を開始すると、第２ホルダ８３の被嵌合部８３ｂに嵌合部８１ｂに嵌合しているため、鏡筒８１に回転力が伝達される。鏡筒８１は、鏡筒８１に設けられる雄ネジ部８１ａ及び第１ホルダ８２に設けられる雌ネジ部８２ａにより、第１ホルダ８２に螺嵌された状態で保持されているため、第２ホルダ８３の回転と連動して、撮像方向に移動を開始する。これにより、鏡筒８１に固定されたレンズ８０がマクロモード用の焦点距離に移動する。
【００６９】
このとき、第２ホルダ８３に設けられた遮光部８５も第２ホルダ８３の移動に連動して第１位置から第２位置に移動する。これにより、光検出部８８は、レンズ８０に入射された光を受光可能となる。光検出部８８は、光を受光すると、電気信号を制御部１００に出力する。制御部１００は、光検出部８８からの所定の電気信号に基づいて、判定部１００ａ及びモード設定部１００ｂで「通常モード」の制御から「マクロモード」の制御への切り替えを行う。
【００７０】
次に、制御部１００におけるモード切替の制御について具体的に説明する。
【００７１】
制御部１００は、原則として、光検出部８８における光の受光の有無により「通常モード」であるか、「マクロモード」であるかを判断する。
【００７２】
まず、制御部１００は、判定部１００ａに設けられるＤＳＰ等のマイクロプロセッサにより、実効画素領域８６ｃにおける明るさを測定する。例えば、制御部１００は、実効画素領域８６ｃの輝度を測定する。これにより、制御部１００は、ユーザが暗所にいるか否かを判断する。なお、ユーザが暗所にいるか否かの判断は、メモリ１０２に格納されたモード設定テーブルに記憶された所定の閾値に基づいて判断される。例えば、実効画素領域８６ｃの輝度が所定の閾値の範囲内にあるか否かで判断する。モード設定テーブルには、例えば、暗所にいると判断された場合の所定の閾値や暗所でないと判断された場合の所定の閾値等が記憶されている。
【００７３】
実効画素領域８６ｃが所定の明るさを有し、ユーザが暗所にいないものと判断された場合には、判定部１００ａは、光検出部８８からの所定の電気信号の出力があるか否かを判定する。光検出部８８からの所定の電気信号の出力を検出し判定部１００ａにより「マクロモード」に変更されたと判断されると、モード設定部１００ｂは、「マクロモード」に設定を変更し、マクロモード用の制御を実行する。
【００７４】
一方、ユーザが暗所にいると判断された場合には、遮光部８５が第１位置から第２位置に移動し、光検出部８８が受光可能な状態にある場合（「マクロモード」に変更された場合）においても、光検出部８８が受光する光の量が小さく、光検出部８８から出力される所定の電気信号が検出しにくい場合が生じうる。
【００７５】
そのため、この場合においては、制御部１００は、判定部１００ａにより光検出部８８からの電気信号の出力があるか否かを判定すると共に、光検出部８８の輝度を測定する。そして、制御部１００は、実効画素領域８６ｃの輝度から光検出部８８の輝度を引き、引いた値が所定の閾値の範囲にあるか否かを判断する。なお、判断は、例えば、メモリ１０２に記憶されたモード設定テーブルに基づいて判断される。モード設定テーブルには、例えば、暗所にいると判断された場合の所定の閾値や暗所でないと判断された場合の所定の閾値等が記憶されている。
【００７６】
実効画素領域８６ｃの輝度から光検出部８８の輝度を引いた値が、所定の閾値の範囲内にある場合には、制御部１００は、光検出部８８が遮光部８５により遮光された状態であり、レンズ位置が「通常モード」に基づく位置、つまり、第１位置にあるものと判断し、「通常モード」に基づく制御を継続若しくは実行する。
【００７７】
一方、実効画素領域８６ｃの輝度から光検出部８８の輝度を引いた値が、所定の閾値の範囲内にない場合には、制御部１００は、遮光部８５が第１位置から第２位置に移動することにより光検出部８８が遮光部８５により遮光されておらず、レンズ８０が「マクロモード」に基づく位置に移動したものと判断し、「マクロモード」に基づく制御を実行する。
【００７８】
前述した構成を有する本実施携帯の携帯電話機１によれば、以下に示す各効果が奏される。
【００７９】
本実施形態に係る携帯電話機１においては、携帯電話機１は、カメラモジュール８にレンズ８０の移動に連動して、撮像部８６に設けられる光検出部８８を遮光させることが可能な遮光部８５を備えている。つまり、携帯電話機１は、光検出部８８における受光の有無により、レンズ８０の移動を検出することが可能な構成を有している。そのため、例えば、マクロ撮影を行う場合においては、レンズ８０を移動させて被写体とカメラモジュールとの距離によってレンズ８０の焦点距離を変化させると共に、別途設けられたマクロ検出スイッチを入れてマクロ撮影に伴うマクロモードへの移行を行う必要があるが、光検出部８８による受光の有無によりレンズ８０の移動を検知し、マクロモードへの移行の判断を行わせることが可能となる。これにより、マクロ検出スイッチを別途設ける必要がなくなる。
【００８０】
そして、マクロ検出スイッチを別途設ける必要がなくなるため、例えば、マクロ撮影機能を搭載させる場合においても部品点数を増加することなく携帯電話機１を製造することが可能になる。つまり、安価に携帯電話機１を製造することが可能になる。
【００８１】
また、所定の電気信号を出力可能な複数の撮像素子からなる撮像部８６に光検出部８８を設けることにより、別途、光受光部を設ける必要がなくなる。そのため、部品点数を増やすことなく光検出部を設けることが可能になる。これにより、安価にマクロ撮影機能が搭載された携帯電話機を製造することが可能になる。
【００８２】
また、例えば、マクロ検出スイッチを別途設けてマクロモードへの移行を行う場合においては、その多くがレンズを動かすレバーの動きに連動してスイッチが入るような機構を有しているが、本実施形態においては、マクロ検出スイッチを設ける必要がない。そのため、前記機構を設ける必要もなくなる。これにより、簡易な構成で携帯電話機にマクロ撮影機能を搭載させることが可能になる。
【００８３】
また、例えば、マクロ検出スイッチを別途設けてマクロモードへの移行を行う場合においては、その多くがレンズの近くにマクロ検出スイッチを設ける必要があると共に、マクロ検出スイッチと連動させる構成が複雑な構造を有していた。そのため、設計の自由度を著しく阻害していた。しかしながら、本実施形態においては、マクロ検出スイッチを別途設ける必要がないため、複雑な機構を設ける必要がなくなると共に、設計の自由度を減少させることもなくなる。
【００８４】
また、本実施形態に係る携帯電話機１においては、携帯電話機１は、判定部１００ａによって判定され、モード設定部１００ｂにより設定された「通常モード」又は「マクロモード」に係るモード設定用のデータを所定の画像信号に変換してレンズ位置としてメイン表示部３４又はサブ表示部３５に出力可能に構成されている。そのため、ユーザに容易に設定モードを認識させることが可能になる。
【００８５】
［第２実施形態］
次に、本発明の第２実施形態について説明する。第２実施形態については、主として、第１実施形態と異なる部分を説明し、第１実施形態と同様の構成については同じ符号を付し、説明を省略する。また、第２実施形態について特に説明しない点については、第１実施形態についての説明が適宜適用される。また、第２実施形態においても、第１実施形態と同様の効果が奏される。
【００８６】
図９（ａ）は、第１位置に配置された遮光部を模式的に示す正面図であり、図９（ｂ）は、第３位置に配置された遮光部を模式的に示す正面図であり、図９（ｃ）は、第２位置に配置された遮光部を模式的に示す正面図である。
【００８７】
図９（ａ）から図９（ｃ）に示すように、第２実施形態は、第１実施形態に比して、「光検出部８８が複数設けられている点」が主として異なる。具体的には、第２実施形態の携帯電話機１Ａは、遮光部８５が配置される位置として、第１位置と第２位置との間に第３位置が設けられ、第３位置に対向する位置に第２光検出部８８ａが設けられることにおいて、第１実施形態と異なる。
【００８８】
このように、第２実施形態の携帯電話機１Ａは、第３位置に第２光検出部８８ａが設けられることにより、第１実施形態における「通常モード」及び「マクロモード」に加え、「第２マクロモード」を設けることが可能になる。言い換えると、「マクロモード」を多段式にすることが可能になる。そのため、第２実施形態の携帯電話機１Ａは、第１実施形態の携帯電話機により奏する効果に加え、より高機能な焦点距離の操作を簡易な構成で備えることが可能になる。
【００８９】
以上、本発明の一実施形態について説明したが、本発明は、前述した実施形態に制限されるものではなく、適宜変更が可能である。
【００９０】
例えば、本実施形態においては、光検出部８８は、非実効画素領域８６ｄに設けられる構成としたが、本発明においてはこれに限定されない。例えば、光検出部８８は、黒色レベルの撮像基準信号を検出するオプチカルブラック領域８６ａに設ける構成であってもよい。
【００９１】
また、本実施形態においては、光検出部８８は、撮像部８６の撮像素子を利用する構成としたが、本発明においてはこれに限定されない。例えば、光受光部は、光受光用の光センサを設ける構成としてもよく、赤外線通信に利用されるＩｒＤＡ受光部を利用する構成としてもよい。
【００９２】
また、本実施形態においては、「通常モード」及び「マクロモード」を用いて説明したが、本発明においてはこれに限定されない。例えば、望遠機能やオートフォーカス機能に基づくモード変更に用いてもよい。また、図１０に示すよういに、遮光部はレンズ８０と撮像部８６にはさまれる位置に配置されてもよい。（遮光部８５ａ）
【００９３】
また、本実施形態においては、連結部４は、操作部側筐体２と表示部側筐体３とを開閉軸Ｘを中心に開閉可能に連結しているが、これに限定されず、操作部側筐体２と表示部側筐体３とを開閉軸Ｘを中心に開閉可能に連結すると共に、開閉軸Ｘに直交する回動軸を中心に回動可能に連結するいわゆる２軸ヒンジ機構を備えていてもよい。
【００９４】
また、本発明の電子機器は、前記実施形態のような折り畳み式ではなく、操作部側筐体２と表示部側筐体３とを重ね合わせた状態から一方の筐体を一方向にスライドさせるようにしたスライド式の電子機器であってもよい。また、操作部側筐体２と表示部側筐体３との重ね合せ方向に沿う軸線を中心に一方の筐体を回転させるようにした回転式（リボルバ）の電子機器であってもよい。
【００９５】
本発明は、携帯電話機以外の携帯電子機器に適用することができ、また携帯電子機器以外の電子機器にも適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
【００９６】
更に、携帯電子機器以外の電子機器としては、例えば、電子辞書、電卓、電子手帳、デジタルカメラ、ビデオカメラ、ラジオ等が挙げられるが、これらのみに限定されるものではない。
【図面の簡単な説明】
【００９７】
【図１】本発明の一実施形態の携帯電話機１を開状態で示す斜視図である。
【図２】図１に示す携帯電話機１を開状態で示す斜視図である。
【図３】図１に示す操作部側筐体２に内蔵される部材の分解斜視図である。
【図４】図１に示す携帯電話機に内蔵されるカメラモジュールの外観斜視図である。
【図５】図４に示すカメラモジュールの断面を模式的に示した断面模式図である。
【図６】（ａ）は、第１位置に配置された遮光部を模式的に示す正面図であり、（ｂ）は、第２位置に配置された遮光部を模式的に示す正面図である。
【図７】携帯電話機の機能を示す機能ブロック図である。
【図８】携帯電話機に搭載されるカメラモジュールの機能を示す機能ブロック図である。
【図９】（ａ）は、第１位置に配置された遮光部を模式的に示す正面図であり、（ｂ）は、第２位置に配置された遮光部を模式的に示す正面図であり、（ｃ）は、第３の位置に配置された遮光部を模式的に示す正面図である。
【図１０】図４に示すカメラモジュールの断面を模式的に示した断面模式図である。
【符号の説明】
【００９８】
１    携帯電話機（電子機器）
２    操作部側筐体
３    表示部側筐体
４    連結部
８    カメラモジュール
８０    レンズ（レンズ部）
８１    鏡筒（レンズ部）
８２    第１ホルダ（ホルダ）
８３    第２ホルダ（ホルダ）
８４    レバー（ノブ部）
８５    遮光部（連動部）
８５ａ  遮光部（連動部）
８６    撮像部
８６ａ    オプチカルブラック領域
８６ｂ    有効画素領域
８６ｃ    実効画素領域
８６ｄ    非実効画素領域
８７    カメラ基板
８８    光検出部
１００    制御部
【図１】
2010085505.tif 000003
【図２】
2010085505.tif 000004
【図３】
2010085505.tif 000005
【図４】
2010085505.tif 000006
【図５】
2010085505.tif 000007
【図６】
2010085505.tif 000008
【図７】
2010085505.tif 000009
【図８】
2010085505.tif 000010
【図９】
2010085505.tif 000011
【図１０】
2010085505.tif 000012